【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
多目的溶液であって、
水性液体媒質、
少なくとも約０.１ｐｐｍから約１０ｐｐｍまでの塩化セチルピリジニウム、および
該溶液に接触するコンタクトレンズを洗浄するのに有効な量のポリ(オキシプロピレン)-ポリ(オキシエチレン)ブロックコポリマー界面活性剤
を含んでなる、多目的溶液。
【請求項２】
溶液は、少なくとも約０.５ｐｐｍから約９ｐｐｍまでの塩化セチルピリジニウムを含んでなる、請求項１に記載の溶液。
【請求項３】
第二抗微生物成分をさらに含んでなる、請求項１に記載の溶液。
【請求項４】
セルロース誘導体およびそれらの混合物からなる群から選択される粘度誘発成分を、全溶液の少なくとも約０.０５％(ｗ／ｖ)から約５.０％(ｗ／ｖ)までの範囲でさらに含んでなる、請求項１に記載の溶液。
【請求項５】
該溶液のｐＨを生理学的に許容される範囲に維持するのに有効な量の緩衝剤成分をさらに含んでなる、請求項１に記載の溶液。
【請求項６】
コンタクトレンズケア用の多目的溶液であって、
水性液体媒質、
少なくとも約０.１ｐｐｍから約１０ｐｐｍまでの塩化セチルピリジニウム、
該溶液に接触するコンタクトレンズを洗浄するのに有効な量のポリ(オキシプロピレン)-ポリ(オキシエチレン)ブロックコポリマー界面活性剤、
該溶液のｐＨを生理学的に許容される範囲に維持するのに有効な量の緩衝剤成分、
セルロース誘導体およびそれらの混合物からなる群から選択される粘度誘発成分、
キレート化成分、および
該溶液に所望の張度を与えるのに有効な量の張度成分
を含んでなる、コンタクトレンズケア用の多目的溶液。
【請求項７】
第二抗微生物成分をさらに含んでなる、請求項６に記載の多目的溶液。
【請求項８】
コンタクトレンズと接触させることによりコンタクトレンズ装用中の眼の組織細胞膜の完全性を維持するための組成物であって、
該組成物は水溶液を含んでなり、該水溶液は約０.１ｐｐｍ〜約１０ｐｐｍの塩化セチルピリジニウムおよび該溶液に接触するコンタクトレンズを洗浄するのに有効な量のポリ(オキシプロピレン)-ポリ(オキシエチレン)ブロックコポリマー界面活性剤を含んでなる、組成物。
【請求項９】
水性溶液は、第二抗微生物剤、粘度誘発剤、キレート化剤、緩衝剤、タウリンおよび張度成分からなる群から選択される成分をさらに含んでなる、請求項８に記載の組成物。
【請求項１０】
多目的溶液であって、
水性液体媒質、
少なくとも約０.１ｐｐｍから約１０ｐｐｍまでの塩化セチルピリジニウム、
第二抗微生物剤、および
該溶液に接触するコンタクトレンズを洗浄するのに有効な量のポリ(オキシプロピレン)-ポリ(オキシエチレン)ブロックコポリマー界面活性剤
を含んでなる、多目的溶液。
【請求項１１】
多目的コンタクトレンズ消毒および洗浄溶液であって、
水性液体媒質、
約０.１ｐｐｍ〜約１０ｐｐｍの塩化セチルピリジニウム、および
該溶液に接触するコンタクトレンズを洗浄するのに有効な量の非イオン性界面活性剤
を含んでなる、多目的コンタクトレンズ消毒および洗浄溶液。
【請求項１２】
第二抗微生物成分をさらに含んでなる、請求項１１に記載の溶液。
【請求項１３】
第二抗微生物成分は、ポリヘキサメチレンビグアニド、ポリヘキサメチレンビグアニド塩およびポリクオタニウム-１からなる群から選択される、請求項１２に記載の溶液。
【請求項１４】
該溶液のｐＨを生理学的に許容される範囲に維持するのに有効な量の緩衝剤成分をさらに含んでなる、請求項１１に記載の溶液。
【請求項１５】
コンタクトレンズケア用の多目的溶液であって、
水性液体媒質、
約０.１ｐｐｍ〜約１０ｐｐｍの塩化セチルピリジニウム、
該溶液に接触するコンタクトレンズを洗浄するのに有効な量の非イオン性界面活性剤、
該溶液のｐＨを生理学的に許容される範囲に維持するのに有効な量の緩衝剤成分、
セルロース誘導体およびそれらの混合物からなる群から選択される粘度誘発成分、
キレート化成分、および
該溶液に所望の張度を与えるのに有効な量の張度成分
を含んでなる、コンタクトレンズケア用の多目的溶液。
【請求項１６】
第二抗微生物成分をさらに含んでなる、請求項１５に記載の多目的溶液。
【請求項１７】
第二抗微生物成分は、ビグアニド、ビグアニドポリマー、モノマーおよびポリマー第四級アンモニウム化合物、それらの塩およびそれらの混合物からなる群から選択される、請求項１６に記載の多目的溶液。
【請求項１８】
コンタクトレンズと接触させることによりコンタクトレンズ装用中の眼の組織細胞膜の完全性を維持するための組成物であって、
該組成物は水溶液を含んでなり、該水溶液は約０.１ｐｐｍ〜約１０ｐｐｍの塩化セチルピリジニウムおよび該溶液に接触するコンタクトレンズを洗浄するのに有効な量の非イオン性界面活性剤を含んでなる、
組成物。
【請求項１９】
水溶液は、第二抗微生物剤、粘度誘発剤、キレート化剤、緩衝剤、タウリンおよび張度成分からなる群から選択される成分をさらに含んでなる、請求１８に記載の組成物。
【請求項２０】
使用者の眼の中に配置されたコンタクトレンズと接触させることによりコンタクトレンズ装用中に眼の組織細胞膜の完全性を維持するための組成物であって、
該組成物は等張水溶液を含んでなり、該等張水溶液は
水性液体媒質、
約０.１ｐｐｍ〜約１０ｐｐｍの塩化セチルピリジニウム、
眼の組織細胞膜を保護するのに有効な量のタウリン、
該溶液に接触するコンタクトレンズを洗浄するのに有効な量の非イオン性界面活性剤、
該溶液のｐＨを生理学的に許容される範囲に維持するのに有効な量の緩衝剤成分、
全溶液の約０.０５％(ｗ／ｖ)〜約５.０％(ｗ／ｖ)の範囲の、セルロース誘導体およびそれらの混合物からなる群から選択される粘度誘発成分、
全溶液の０.０５％(ｗ／ｖ)未満の量のキレート化成分、および
該溶液に所望の張度を与えるのに有効な量の張度成分
を含んでなる、
組成物。
【請求項２１】
使用者の眼に投与することにより眼の組織の損傷を緩和するための組成物であって、
該組成物は水性液体媒質を含んでなり、該水性液体媒質は約０.１ｐｐｍ〜約１０ｐｐｍの塩化セチルピリジニウムおよび該溶液に接触するコンタクトレンズを洗浄するのに有効な量の非イオン性界面活性剤を含んでなる、
組成物。
【請求項２２】
水性液体媒質は、第二抗微生物成分をさらに含んでなる、請求項２１に記載の組成物。
【請求項２３】
多目的溶液であって、
水性液体媒質、
約０.１ｐｐｍ〜約１０ｐｐｍの塩化セチルピリジニウム、
第二抗微生物剤、
該溶液に接触するコンタクトレンズを洗浄するのに有効な量の非イオン性界面活性剤、および
眼の組織細胞膜を保護するのに有効な量のタウリン
を含んでなる、多目的溶液。
【請求項２４】
水性液体媒質および少なくとも約０.１ｐｐｍから約２ｐｐｍまでの塩化セチルピリジニウムを含んでなる、多目的溶液。
【請求項２５】
第二抗微生物成分をさらに含んでなる、請求項２４に記載の溶液。
【請求項２６】
第二抗微生物成分は、ポリヘキサメチレンビグアニド、ポリヘキサメチレンビグアニド塩およびポリクオタニウム-１からなる群から選択される、請求項２４に記載の溶液。
【手続補正２】
【補正対象書類名】明細書
【補正対象項目名】００３０
【補正方法】変更
【補正の内容】
【００３０】
現在の有用な抗微生物成分は、コンタクトレンズを汚染するような細菌または微生物との化学的または生理化学的相互作用によってそれらの抗微生物活性を引き出す化学物質を包含する。適当なさらなる抗微生物成分は、眼科用途に一般に使用される物質であり、下記のものを包含するがそれらに限定されない：眼科用途に使用される第四級アンモニウム塩、例えばポリ［（ジメチルイミノ）−２−ブテン−１，４−ジイルクロリド］，α−［４−［トリス（２−ヒドロキシエチル）アンモニオ］−２−ブテニル］−ω−［トリス（２−ヒドロキシエチル）アンモニオ］−ジクロリド(化学登録番号75345-27-6、Onyx Corporationからポリクオタニウム(登録商標) １として入手可能)、ハロゲン化ベンザルコニウム、およびビグアニド、例えば、アレキシジンの塩、アレキシジン遊離塩基、クロルヘキシジンの塩、ヘキサメチレンビグアニドおよびそれらのポリマー、およびそれらの塩、抗微生物ポリペプチド、二酸化塩素先駆物質等、およびそれらの混合物。一般に、ヘキサメチレンビグアニドポリマー(ＰＨＭＢ)は、ポリアミノプロピルビグアニド(ＰＡＰＢ)とも称され、約１００,０００までの分子量を有する。このような化合物は、既知であり、Ogunbiyiらの米国特許第4759595号に開示される（その開示は、全体として本明細書に参照により組み込まれる）。
【手続補正３】
【補正対象書類名】明細書
【補正対象項目名】００９３
【補正方法】変更
【補正の内容】
【００９３】
種々の特定実施例および態様に関して本発明を説明したが、本発明はそれらに限定されるものではなく、請求の範囲内の変更を加えて実施し得るものと理解される。
本発明の好適な実施態様には、以下のものが含まれる。
〔１〕  多目的溶液であって、
水性液体媒質、
少なくとも約０.１ｐｐｍから約１０ｐｐｍまでの塩化セチルピリジニウム、および
該溶液に接触するコンタクトレンズを洗浄するのに有効な量のポリ(オキシプロピレン)-ポリ(オキシエチレン)ブロックコポリマー界面活性剤
を含んでなる、多目的溶液。
〔２〕  溶液は、少なくとも約０.５ｐｐｍから約９ｐｐｍまでの塩化セチルピリジニウムを含んでなる、上記〔１〕に記載の溶液。
〔３〕  ポリ(オキシプロピレン)-ポリ(オキシエチレン)ブロックコポリマー界面活性剤は、Tetronic(登録商標) 1307、Tetronic(登録商標) 1304、Tetronic(登録商標) 1107、Tetronic(登録商標) 904およびPluronic(登録商標) F87からなる群から選択される、上記〔１〕に記載の溶液。
〔４〕  第二抗微生物成分をさらに含んでなる、上記〔１〕に記載の溶液。
〔５〕  セルロース誘導体およびそれらの混合物からなる群から選択される粘度誘発成分を、全溶液の少なくとも約０.０５％(ｗ／ｖ)から約５.０％(ｗ／ｖ)までの範囲でさらに含んでなる、上記〔１〕に記載の溶液。
〔６〕  該溶液のｐＨを生理学的に許容される範囲に維持するのに有効な量の緩衝剤成分をさらに含んでなる、上記〔１〕に記載の溶液。
〔７〕  緩衝剤は、ホウ酸／水酸化ナトリウム緩衝剤およびホウ酸／ホウ酸ナトリウム緩衝剤からなる群から選択される、上記〔１〕に記載の溶液。
〔８〕  コンタクトレンズケア用の多目的溶液であって、
水性液体媒質、
少なくとも約０.１ｐｐｍから約１０ｐｐｍまでの塩化セチルピリジニウム、
該溶液に接触するコンタクトレンズを洗浄するのに有効な量のポリ(オキシプロピレン)-ポリ(オキシエチレン)ブロックコポリマー界面活性剤、
該溶液のｐＨを生理学的に許容される範囲に維持するのに有効な量の緩衝剤成分、
セルロース誘導体およびそれらの混合物からなる群から選択される粘度誘発成分、
キレート化成分、および
該溶液に所望の張度を与えるのに有効な量の張度成分
を含んでなる、コンタクトレンズケア用の多目的溶液。
〔９〕  第二抗微生物成分をさらに含んでなる、上記〔８〕に記載の多目的溶液。
〔１０〕  第二抗微生物成分は、少なくとも約０.１ｐｐｍから約３ｐｐｍまでの範囲の量で存在する、上記〔８〕に記載の多目的溶液。
〔１１〕  ポリ(オキシプロピレン)-ポリ(オキシエチレン)ブロックコポリマー界面活性剤は、少なくとも約０.０１％(ｗ／ｖ)から約１.０％(ｗ／ｖ)までの範囲の量で存在する、上記〔８〕に記載の多目的溶液。
〔１２〕  緩衝剤成分はホウ酸を含有する、上記〔８〕に記載の多目的溶液。
〔１３〕  タウリンをさらに含んでなる、上記〔８〕に記載の多目的溶液。
〔１４〕  コンタクトレンズ装用中の眼の組織細胞膜の完全性を維持する方法であって、コンタクトレンズを、
水溶液であって、約０.１ｐｐｍ〜約１０ｐｐｍの塩化セチルピリジニウムおよび該溶液に接触するコンタクトレンズを洗浄するのに有効な量のポリ(オキシプロピレン)-ポリ(オキシエチレン)ブロックコポリマー界面活性剤を含んでなる、水溶液
に接触させることを含む、方法。
〔１５〕  水性溶液は、第二抗微生物剤、粘度誘発剤、キレート化剤、緩衝剤、タウリンおよび張度成分からなる群から選択される成分をさらに含んでなる、上記〔１４〕に記載の消毒法。
〔１６〕  コンタクトレンズ装用中に眼の組織細胞膜の完全性を維持する方法であって、使用者の目の中に配置されたコンタクトレンズを、
等張水溶液であって、
水性液体媒質、
少なくとも約０.１ｐｐｍから約１０ｐｐｍまでの塩化セチルピリジニウム、
眼の組織細胞膜を保護するのに有効な量のタウリン、
該溶液に接触するコンタクトレンズを洗浄するのに有効な量のポリ(オキシプロピレン)-ポリ(オキシエチレン)ブロックコポリマー界面活性剤、
該溶液のｐＨを生理学的に許容される範囲に維持するのに有効な量の緩衝剤成分、
全溶液の約０.０５％(ｗ／ｖ)〜約５.０％(ｗ／ｖ)の範囲の、セルロース誘導体およびそれらの混合物からなる群から選択される粘度誘発成分、
全溶液の０.０５％(ｗ／ｖ)未満の量のキレート化成分、および
該溶液に所望の張度を与えるのに有効な量の張度成分
を含んでなる、等張水溶液
に接触させることを含む、方法。
〔１７〕  眼の組織の損傷を緩和する方法であって、使用者の眼に、
水性液体媒質であって、
少なくとも約０.１ｐｐｍから約１０ｐｐｍまでの塩化セチルピリジニウムおよび該溶液に接触するコンタクトレンズを洗浄するのに有効な量のポリ(オキシプロピレン)-ポリ(オキシエチレン)ブロックコポリマー界面活性剤を含んでなる、水性液体媒質
を投与することを含む、方法。
〔１８〕  投与工程を、水性液体媒質が一時的に使用者の眼の中に留まるように行う、上記〔１７〕に記載の方法。
〔１９〕  投与工程を、ソフトコンタクトレンズおよび気体透過性ハードコンタクトレンズの少なくとも１つの中に水性液体媒質の取り込みが達成されるように行う、上記〔１７〕に記載の方法。
〔２０〕  水性液体媒質は、第二抗微生物成分をさらに含んでなる、上記〔１７〕に記載の方法。
〔２１〕  多目的溶液であって、
水性液体媒質、
少なくとも約０.１ｐｐｍから約１０ｐｐｍまでの塩化セチルピリジニウム、
第二抗微生物剤、
該溶液に接触するコンタクトレンズを洗浄するのに有効な量のポリ(オキシプロピレン)-ポリ(オキシエチレン)ブロックコポリマー界面活性剤、および
眼の組織細胞膜を保護するのに有効な量のタウリン
を含んでなる、多目的溶液。
〔２２〕  多目的コンタクトレンズ消毒および洗浄溶液であって、
水性液体媒質、
約０.１ｐｐｍ〜約１０ｐｐｍの塩化セチルピリジニウム、および
該溶液に接触するコンタクトレンズを洗浄するのに有効な量の非イオン性界面活性剤
を含んでなる、多目的コンタクトレンズ消毒および洗浄溶液。
〔２３〕  溶液は、約０.５ｐｐｍ〜約９ｐｐｍの塩化セチルピリジニウムを含んでなる、上記〔２２〕に記載の溶液。
〔２４〕  溶液は、約１ｐｐｍ〜約５ｐｐｍの塩化セチルピリジニウムを含んでなる、上記〔２２〕に記載の溶液。
〔２５〕  非イオン性界面活性剤は、ポリ(オキシプロピレン)-ポリ(オキシエチレン)ブロックコポリマーである、上記〔２２〕に記載の溶液。
〔２６〕  ポリ(オキシプロピレン)-ポリ(オキシエチレン)ブロックコポリマー界面活性剤は、Tetronic(登録商標) 1307、Tetronic(登録商標) 1304、Tetronic(登録商標) 1107、Tetronic(登録商標) 904、Tetronic(登録商標) 904およびPluronic(登録商標) F87からなる群から選択される、上記〔２５〕に記載の溶液。
〔２７〕  第二抗微生物成分をさらに含んでなる、上記〔２２〕に記載の溶液。
〔２８〕  第二抗微生物成分は、ポリヘキサメチレンビグアニド、ポリヘキサメチレンビグアニド塩およびポリクオタニウム-１からなる群から選択される、上記〔２７〕に記載の溶液。
〔２９〕  セルロース誘導体およびそれらの混合物からなる群から選択される粘度誘発成分を、全溶液の約０.０５％(ｗ／ｖ)〜約５.０％(ｗ／ｖ)の範囲でさらに含んでなる、上記〔２２〕に記載の溶液。
〔３０〕  全溶液の０.０５％(ｗ／ｖ)未満の量でキレート化成分をさらに含んでなる、上記〔２２〕に記載の溶液。
〔３１〕  該溶液に所望の張度を与えるのに有効な量の張度成分をさらに含んでなる、上記〔２２〕に記載の溶液。
〔３２〕  該溶液のｐＨを生理学的に許容される範囲に維持するのに有効な量の緩衝剤成分をさらに含んでなる、上記〔２２〕に記載の溶液。
〔３３〕  緩衝剤は、ホウ酸／水酸化ナトリウム緩衝剤およびホウ酸／ホウ酸ナトリウム緩衝剤からなる群から選択される、上記〔３２〕に記載の溶液。
〔３４〕  コンタクトレンズケア用の多目的溶液であって、
水性液体媒質、
約０.１ｐｐｍ〜約１０ｐｐｍの塩化セチルピリジニウム、
該溶液に接触するコンタクトレンズを洗浄するのに有効な量の非イオン性界面活性剤、
該溶液のｐＨを生理学的に許容される範囲に維持するのに有効な量の緩衝剤成分、
セルロース誘導体およびそれらの混合物からなる群から選択される粘度誘発成分、
キレート化成分、および
該溶液に所望の張度を与えるのに有効な量の張度成分
を含んでなる、コンタクトレンズケア用の多目的溶液。
〔３５〕  第二抗微生物成分をさらに含んでなる、上記〔３４〕に記載の多目的溶液。
〔３６〕  第二抗微生物成分は、ビグアニド、ビグアニドポリマー、モノマーおよびポリマー第四級アンモニウム化合物、それらの塩およびそれらの混合物からなる群から選択される、上記〔３５〕に記載の多目的溶液。
〔３７〕  第二抗微生物成分は、約０.１ｐｐｍ〜約３ｐｐｍの範囲の量で存在する、上記〔３５〕に記載の多目的溶液。
〔３８〕  非イオン性界面活性剤は、ブロックコポリマーであり、約０.０１％(ｗ／ｖ)〜約１.０％(ｗ／ｖ)の範囲の量で存在する、上記〔４４〕に記載の多目的溶液。
〔３９〕  緩衝剤成分はホウ酸を含有する、上記〔３４〕に記載の多目的溶液。
〔４０〕  緩衝剤成分は、約０.０１％(ｗ／ｖ)〜約１％(ｗ／ｖ)の範囲の量で存在する、上記〔３４〕に記載の多目的溶液。
〔４１〕  粘度誘発成分は、ヒドロキシプロピルメチルセルロースである、上記〔３４〕に記載の多目的溶液。
〔４２〕  粘度誘発成分は、全溶液の約０.０５％(ｗ／ｖ)〜約５.０％(ｗ／ｖ)の範囲の量で存在する、上記〔３４〕に記載の多目的溶液。
〔４３〕  張度成分は、塩化ナトリウムおよび塩化カリウムの組合せを含有し、約０.４％(ｗ／ｖ)〜約１.５％(ｗ／ｖ)の範囲で存在する、上記〔３４〕に記載の多目的溶液。
〔４４〕  キレート化成分はＥＤＴＡである、上記〔３４〕に記載の多目的溶液。
〔４５〕  キレート化成分は、全溶液の０.０５％(ｗ／ｖ)未満の量で存在する、上記〔３４〕に記載の多目的溶液。
〔４６〕  タウリンをさらに含んでなる、上記〔３４〕に記載の多目的溶液。
〔４７〕  コンタクトレンズ装用中の眼の組織細胞膜の完全性を維持する方法であって、コンタクトレンズを、
水溶液であって、約０.１ｐｐｍ〜約１０ｐｐｍの塩化セチルピリジニウムおよび該溶液に接触するコンタクトレンズを洗浄するのに有効な量の非イオン性界面活性剤を含んでなる、水溶液
に接触させることを含む、方法。
〔４８〕  水溶液は、第二抗微生物剤、粘度誘発剤、キレート化剤、緩衝剤、タウリンおよび張度成分からなる群から選択される成分をさらに含んでなる、上記〔４７〕に記載の消毒法。
〔４９〕  コンタクトレンズ装用中に眼の組織細胞膜の完全性を維持する方法であって、使用者の眼の中に配置されたコンタクトレンズを、
等張水溶液であって、
水性液体媒質、
約０.１ｐｐｍ〜約１０ｐｐｍの塩化セチルピリジニウム、
眼の組織細胞膜を保護するのに有効な量のタウリン、
該溶液に接触するコンタクトレンズを洗浄するのに有効な量の非イオン性界面活性剤、
該溶液のｐＨを生理学的に許容される範囲に維持するのに有効な量の緩衝剤成分、
全溶液の約０.０５％(ｗ／ｖ)〜約５.０％(ｗ／ｖ)の範囲の、セルロース誘導体およびそれらの混合物からなる群から選択される粘度誘発成分、
全溶液の０.０５％(ｗ／ｖ)未満の量のキレート化成分、および
該溶液に所望の張度を与えるのに有効な量の張度成分
を含んでなる、等張水溶液
に接触させることを含む、方法。
〔５０〕  眼の組織の損傷を緩和する方法であって、使用者の眼に、
水性液体媒質であって、約０.１ｐｐｍ〜約１０ｐｐｍの塩化セチルピリジニウムおよび該溶液に接触するコンタクトレンズを洗浄するのに有効な量の非イオン性界面活性剤を含んでなる、水性液体媒質
を投与することを含む、方法。
〔５１〕  投与工程を、水性液体媒質が一時的に使用者の眼の中に留まるように行う、上記〔５０〕に記載の方法。
〔５２〕  投与工程を、ソフトコンタクトレンズおよび気体透過性ハードコンタクトレンズの少なくとも１つの中に水性液体媒質の取り込みが達成されるように行う、上記〔５０〕に記載の方法。
〔５３〕  水性液体媒質は、第二抗微生物成分をさらに含んでなる、上記〔５０〕に記載の方法。
〔５４〕  多目的溶液であって、
水性液体媒質、
約０.１ｐｐｍ〜約１０ｐｐｍの塩化セチルピリジニウム、
第二抗微生物剤、
該溶液に接触するコンタクトレンズを洗浄するのに有効な量の非イオン性界面活性剤、および
眼の組織細胞膜を保護するのに有効な量のタウリン
を含んでなる、多目的溶液。
〔５５〕  水性液体媒質および少なくとも約０.１ｐｐｍから約２ｐｐｍまでの塩化セチルピリジニウムを含んでなる、多目的溶液。
〔５６〕  第二抗微生物成分をさらに含んでなる、上記〔５５〕に記載の溶液。
〔５７〕  第二抗微生物成分は、ポリヘキサメチレンビグアニド、ポリヘキサメチレンビグアニド塩およびポリクオタニウム-１からなる群から選択される、上記〔５５〕に記載の溶液。